(57)【要約】      （修正有）【課題】接着剤を使用することなく、扱いやすい小型の締付部材を用いることにより、簡単かつ迅速に形成することができる防水性に優れた地中連続壁の防水構造を提供する。【解決手段】地中連続壁１の防水構造は、地面に形成された穴の一側面が地中連続壁の立面２となり、該立面には、互いに離間し、かつ上下に延びる複数の長尺の芯材３が現れている地中連続壁の防水構造１０であって、粘着性材料層および前記立面に対向する疎水性材料層からなり、前記立面を覆う止水フィルム１６ａ、１６ｂ、１６ｃと、前記芯材に所定の間隔で固定され、前記止水フィルムを螺合によって挟持する複数の締付部材１５ａ、１５ｂとを備える。【選択図】図１
0003158029.tif 000002
【実用新案登録請求の範囲】
【請求項１】
地面に形成された穴の一側面が地中連続壁の立面となり、該立面には、互いに離間し、かつ上下に延びる複数の長尺の芯材が現れている地中連続壁の防水構造であって、
粘着性材料層および前記立面に対向する疎水性材料層からなり、前記立面を覆う止水フィルムと、前記芯材に所定の間隔で固定され、前記止水フィルムを螺合によって挟持する複数の締付部材とを備えることを特徴とする地中連続壁の防水構造。
【請求項２】
前記締付部材が、前記芯材にその一方の面が固定される平板および該平板の反対面の中央に突設される雄ネジからなる基材と、該平板に対向する鍔を有し、該雄ネジに螺合する締付部とから構成されることを特徴とする請求項１記載の地中連続壁の防水構造。
【請求項３】
前記締付部が、締付ナットと該締付ナットとは別体の平板状の中間部材とから構成されることを特徴とする請求項２記載の地中連続壁の防水構造。
【請求項４】
前記雄ネジの先端には、前記立面に所定の間隔で対向するよう立設される型枠に延びるセパレータの一端を固定するネジ穴が設けられてなることを特徴とする請求項３記載の地中連続壁の防水構造。
【考案の詳細な説明】
【技術分野】
【０００１】
本考案は地中連続壁の防水構造に関する。さらに詳細には、地下構造物のコンクリート外壁面を構築するために形成される地中連続壁の防水構造に関する。
【背景技術】
【０００２】
地中連続壁とは、掘削により地面に穴を設け、その穴にて元あった土とセメントスラリーとを混合・攪拌することによりソイルセメント単位を形成し、これを隣接する間隔で連続的に行うことによって地中に形成される壁体のことをいう。地下構造物を構築する場合には、まず地中連続壁を形成し、これによってコンクリート外壁面を形成するという工法が用いられている。
【０００３】
図５の（ａ）〜（ｃ）は地中連続壁を用いた地下構造物の構築方法を説明するための模式断面図である。図５に示されるように、この工法を簡単に説明すると以下のとおりである。（１）まず、混練削孔機により地面Ｇを掘削し、そこにセメントスラリーを加え、攪拌することによってソイルセメント単位を形成する。（２）前記（１）の工程を隣接する間隔で連続的に繰り返すことによって地中連続壁１００を形成する。（３）形成された地中連続壁１００に芯材１０１となる長尺のＨ型鋼材を鉛直に差し込む。この状態を示したのが図５の（ａ）である。
【０００４】
（４）次に、地中連続壁１００に接する地面Ｇを掘削して地下構造物を構築するためのコンクリート打設部（穴）１０２を形成する。このとき、掘削は地中連続壁１００内の芯材１０１の一側面が露出するまで行う。このようにして形成した地中連続壁１００の立面がコンクリート打設部（穴）１０２の側壁となる。（５）この地中連続壁１００の立面の全面に、地中連続壁１００から染み出してくる水がコンクリート打設部（穴）１０２内に浸入してくることを防止するための防水シート１０６を取り付ける。この状態を示したのが図５の（ｂ）である。（６）その後、コンクリート打設部（穴）１０２の底面に耐圧盤となる底盤１１０を形成し、底盤１１０上に型枠１１１を立設する。型枠１１１は底盤１１０上に設置された支持部材１１５ａ、１１５ｂに支持されて起立する。この状態を示したのが図５の（ｃ）である。これら地中連続壁１００、底盤１１０および型枠１１１に囲まれた凹部にコンクリートを打設し、地下構造物の外壁を構築する。
【０００５】
しかし、上記のような支持部材１１５ａ、１１５ｂによって型枠１１１を支持する方法では、支持力に限りがあるため、型枠１１１を１．５ｍ程度の高さにしかすることができず、施工効率が良くない。そこで、型枠１１１をより高く立設する下記のような方法が採用されている。
【０００６】
図６の（ａ）と（ｂ）は従来の地中連続壁の防水工法を説明するための模式断面図である。この工法においては、先に説明した地下構造物の構築方法と前記（４）工程までは基本的に同じであるため、説明は繰り返さず、（５）工程から説明する。（５）この工法では立面にいきなり防水シート１０６を取り付けることはせず、まず、芯材１０１の一側面が露出した立面に、立面に沿って水平方向に延びる長尺のＬ字鋼材を支持材１０５ａ、１０５ｂとして取り付ける。支持材１０５ａ、１０５ｂは、コンクリート打設部（穴）１０２内に立設される型枠１１１を支持するためのもので、互いに平行に取り付けられる。（６）次に、支持材１０５ａ、１０５ｂによって仕切られた地中連続壁１００の立面の各々の全面に、防水シート１０６ａ、１０６ｂ、１０６ｃを取り付ける。この状態を示したのが図６の（ａ）である。（７）その後、コンクリート打設部（穴）１０２の底面に耐圧盤となる底盤１１０を形成し、底盤１１０上に型枠１１１を立設する。地中連続壁１００の立面と型枠１１１とは、一方の端部が地中連続壁１００の立面に設けられた支持材１０５ａ、１０５ｂに固定され、他方の端部が型枠１１１に固定されたセパレータ１１２ａ、１１２ｂによって一定間隔に保たれ、これによって型枠１１１は立設される。この状態を示したのが図６の（ｂ）である。これら地中連続壁１００、底盤１１０および型枠１１１に囲まれた凹部にコンクリートを打設し、地下構造物の外壁を構築する。
【０００７】
図７は従来の地中連続壁の防水構造を示した模式断面図であって、図６の（ｂ）をより詳しく説明したものである。図７に示されるように、支持材１０５ａ、１０５ｂによって仕切られた地中連続壁１００の立面１２０には防水シート１０６ａ、１０６ｂ、１０６ｃがそれぞれ被覆されている。この防水シート１０６ａ、１０６ｂ、１０６ｃはポリプロピレンからなり、それ自体では接着性を有しないため、接着剤１３０を介して立面１２０に密着している。接着剤１３０は、スプレーなどによって立面１２０と防水シート１０６ａ、１０６ｂ、１０６ｃとの接合箇所に塗布されたものである。この防水構造によって、地中連続壁１００から染み出してくる水は防水シート１０６ａ、１０６ｂ、１０６ｃによって遮られ、コンクリート打設部（穴）１０２内への水の浸入は防止されるのである。
【考案の概要】
【考案が解決しようとする課題】
【０００８】
しかし、上記のような従来の防水構造は、防水シートを地中連続壁の立面に密着させるために接着剤を多量に塗布する必要があり、接着剤の塗布作業に手間がかかるうえ、コスト負担も大きい。また、防水シートと立面との接着が充分でない場合、水が漏出し、その後に打設されるコンクリート外壁に水が浸入してしまう。特に、型枠を高く立設するために地中連続壁の立面に一定間隔で支持材を設ける工法においては、支持材と防水シートとの間から水漏れしやすいという問題がある。さらに、従来の防水構造では長尺で金属製の支持材を用いるため、作業性が良くないという問題がある。
【０００９】
本考案は、上記従来の問題に鑑みてなされたものであり、型枠を高く立設することができる施工効率に優れた構造であって、接着剤を使用することなく、扱いやすい小型の締付部材を用いることにより、簡単かつ迅速に形成することができる防水性に優れた地中連続壁の防水構造を提供することを目的とする。
【課題を解決するための手段】
【００１０】
本考案の地中連続壁の防水構造は、地面に形成された穴の一側面が地中連続壁の立面となり、該立面には、互いに離間し、かつ上下に延びる複数の長尺の芯材が現れている地中連続壁の防水構造であって、粘着性材料層および前記立面に対向する疎水性材料層からなり、前記立面を覆う止水フィルムと、前記芯材に所定の間隔で固定され、前記止水フィルムを螺合によって挟持する複数の締付部材とを備えることを特徴としている。
【００１１】
また、前記締付部材が、前記芯材にその一方の面が固定される平板および該平板の反対面の中央に突設される雄ネジからなる基材と、該平板に対向する鍔を有し、該雄ネジに螺合する締付部とから構成されることが好ましい。
【００１２】
また、前記締付部が、締付ナットと該締付ナットとは別体の平板状の中間部材とから構成されることが好ましい。
【００１３】
また、前記雄ネジの先端には、前記立面に所定の間隔で対向するよう立設される型枠に延びるセパレータの一端を固定するネジ穴が設けられてなることが好ましい。
【考案の効果】
【００１４】
本考案の地中連続壁の防水構造は、型枠を高く立設することができる施工効率に優れた構造であり、止水フィルムは芯材に固定された締付部材に狭持されることによって地中連続壁の立面全体に被覆されるため、接着剤を使用することなく充分な防水機能を有する。また、止水フィルムは疎水性材料層が水の通過を阻止し、粘着性材料層がその後に打設されるコンクリートとの密着性に優れるため、防水性に優れる。さらに、締付部材は従来の支持材と比べて軽量かつ小型の部材であるため、止水フィルムを被覆する際の作業性に優れる。
【００１５】
また、締付部材の先端にネジ穴を設けた場合、締付部材はセパレータと接続可能になり、セパレータ接続のための別途の部材や作業を必要としないため、型枠設置の作業性が改善される。
【図面の簡単な説明】
【００１６】
【図１】本考案の実施の形態による地中連続壁の防水構造の模式断面図である。
【図２】本考案の実施の形態による締付部材の分解斜視図である。
【図３】図１における締付部材の拡大断面図である。
【図４】図１における止水フィルムの拡大断面図である。
【図５】地中連続壁を用いた地下構造物の構築方法を説明するための模式断面図であって、（ａ）は掘削された穴に形成された地中連続壁に芯材を差し込んだ状態を示した図であり、（ｂ）は露出した地中連続壁の立面にシートを取り付けた状態を示した図であり、（ｃ）は地中連続壁の立面に防水構造が形成された状態を示した図であって、コンクリートを打設する前の状態を示した図である。
【図６】従来の地中連続壁の防水工法を説明するための模式断面図であって、（ａ）は露出した地中連続壁の立面に支持材およびシートを取り付けた状態を示した図であり、（ｂ）は地中連続壁の立面に防水構造が形成された状態を示した図であって、コンクリートを打設する前の状態を示した図である。
【図７】従来の地中連続壁の防水構造を示した模式断面図である。
【考案を実施するための形態】
【００１７】
本考案の実施の形態による地中連続壁の防水構造について、添付図面に沿って以下詳細に説明する。
【００１８】
図１は本考案の実施の形態による地中連続壁の防水構造の模式断面図である。図１に示されるように、防水構造１０は、コンクリートが打設される側面を構成する地中連続壁１の立面２に形成される。立面２は予め構築した地中連続壁１を掘削して形成したものであり、立面２には地中連続壁１に埋設した上下に延びる複数の長尺の芯材３が互いに離間して平行に設置されており、それらの一側面が立面２に露出している。芯材３の種類や形状は特に限定されないが、一般的にはＨ型鋼材が用いられる。
【００１９】
立面２に露出した複数の芯材３のそれぞれの一側面には、金属製の締付部材１５ａ、１５ｂが上下方向に所定の間隔で溶接によって固定されている。締付部材１５ａ、１５ｂの間隔は特に限定されるものではないが、セパレータ３２ａ、３２ｂを介して型枠３１を支持する観点から、４０〜６０ｃｍ程度の間隔であることが好ましい。また、止水フィルム１６ａ、１６ｂ、１６ｃは締付部材１５ａ、１５ｂに狭持されることによって立面２の全面を覆っている。この止水フィルム１６ａ、１６ｂ、１６ｃについては後述する。
【００２０】
図２は本考案の実施の形態による締付部材の分解斜視図である。図２に示されるように、芯材３に固定される締付部材１５は、矩形状の平板２０と平板２０の一方の面の中央に突設される雄ネジ２１とから構成される基材がその本体となる。平板２０の雄ネジ２１が突設される面の反対面は、芯材３の一側面に接し、溶接によって芯材３に固定される。締付部材１５に設けられた雄ネジ２１には、金属製の中間部材２２が挿通された後、締付ナット２３が螺合される。中間部材２２は、平板２０と同程度の大きさを有する矩形状の平板であり、その中央には雄ネジ２１を挿通するための孔２５が形成されている。この中間部材２２と締付ナット２３とが止水フィルム１６ａ、１６ｂ、１６ｃを狭持するための締付部となる。
【００２１】
また、雄ネジ２１の先端には、型枠３１に延びるセパレータ３２ａ、３２ｂの一端を固定するためのネジ穴２６が設けられている。これによって、セパレータ３２ａ、３２ｂを接続するために別途の部材や作業を必要としないため、型枠３１設置の作業性が改善される。
【００２２】
図３は図１における締付部材の拡大断面図である。図３に示されるように、芯材３に固定された締付部材１５ａの平板２０上に止水フィルム１６ａ、１６ｂは重なっている。この止水フィルム１６ａ、１６ｂは、締付ナット２３で中間部材２２を締め付けることによって、平板２０と中間部材２２とに狭持される。この螺合による簡単かつ迅速な作業によって止水フィルム１６ａ、１６ｂは立面２上に被覆される。
【００２３】
図４は図１における止水フィルムの拡大断面図である。図４に示されるように、止水フィルム１６ａは粘着性材料層４０とポリプロピレンからなる疎水性材料層４１とからなる２層構造である。疎水性材料層４１は立面２からの水の通過を阻止するためのものであり、立面２に対向している。しかし、ポリプロピレンはそれ自体では立面２に密着しないため、両者の間には隙間４２が存在する。この隙間４２を通って、立面２から染み出した水は下方に流れる。
【００２４】
粘着性材料層４０は、その後に打設されるコンクリートに接し、コンクリートに密着する。これによって、コンクリート内部への水の浸入を防止する。粘着性材料層４０は、コンクリートとの密着性に優れる非加硫ブチルゴムを用いることが特に好ましい。止水フィルム１６ｂ、１６ｃについても、止水フィルム１６ａと同じ構成であるため、説明は繰り返さない。なお、本実施の形態では複数の止水フィルム１６ａ、１６ｂ、１６ｃを使用しているが、これに限定されるものではなく、１枚の大型の止水フィルムによって立面２の全体を覆うものであっても良い。その場合、締付部材１５ａ、１５ｂの雄ネジ２１と重なる箇所にパンチなどで事前に孔を形成することが好ましい。
【００２５】
再び図１に戻って、底盤３０の上面には、一方の開口部が止水フィルム１６ａよりも地中連続壁１側に設けられ、他方の開口部が型枠３１の立面２との対向面の反対側に設けられた水抜きパイプ３５が配置されている。これによって、立面２と型枠３１との間にコンクリートが打設された後においても、立面２から染み出した水は水抜きパイプ３５から優先的に排出されるので、立面２から染み出した水が行き場を失ってコンクリートに浸入することが防止される。この水抜きパイプ３５は最終的には封止される。なお、水抜きパイプ３５は塩化ビニル管を使用しているが、これに限定されるものではない。
【００２６】
このように、本実施の形態の地中連続壁の防水構造は、型枠を高く立設することができる施工効率に優れた構造であり、接着剤を使用することなく、扱いやすい小型の締付部材を用いることにより、地中連続壁から染み出した水を封止し、コンクリートへの水の浸入を防ぐことができる。
【００２７】
次に、地中連続壁の防水方法について説明する。地中連続壁の防水方法は、（１）地面に形成されたコンクリート打設部（穴）の一側面が地中連続壁１の立面２となり、立面２には、互いに離間し、かつ上下に延びる複数の長尺の芯材３が現れている地中連続壁１において、複数の締付部材１５ａ、１５ｂを芯材３に固定する工程と、（２）粘着性材料層４０および立面２に対向する疎水性材料層４１からなる止水フィルム１６ａ、１６ｂ、１６ｃを、締付部材１５ａ、１５ｂの螺合によって立面２上に被覆する工程とからなる。
【００２８】
図１に示されるように、予め構築された地中連続壁１を掘削することにより、互いに平行し、かつ上下に延びる長尺の芯材３の一側面が現れた立面２を形成する。この立面２に現れた芯材３の一側面に、締付部材１５ａ、１５ｂを溶接によって固定する。
【００２９】
次に、止水フィルム１６ａ、１６ｂ、１６ｃを、締付部材１５ａ、１５ｂの平板２０と中間部材２２とによって挟み込み、締付ナット２３を雄ネジ２１に螺合することにより締付部材１５ａ、１５ｂに固定する。その際、事前に止水フィルム１６ａ、１６ｂ、１６ｃにパンチなどにより孔を形成し、その孔に雄ネジ２１を挿通すれば、止水フィルム１６ａ、１６ｂ、１６ｃを立面２上に仮止めすることが可能となり、作業性を改善することができる。この締付部材１５ａ、１５ｂの螺合によって止水フィルム１６ａ、１６ｂ、１６ｃは立面２の全面に被覆される。
【００３０】
止水フィルム１６ａ、１６ｂ、１６ｃの被覆方法についてより詳しく説明すると、以下のとおりである。まず、最も下方に設けられる止水フィルム１６ａの下端を矩形状のコンクリート打設部（穴）の底面に敷き、必要に応じて粘着テープ（図示せず）などで固定する。そこから、止水フィルム１６ａを立面２に向かって延ばし、立面２に当接すると立面２に沿って上方に延ばすことにより立面２を被覆する。止水フィルム１６ａはさらに上方に延びて締付部材１５ａの平板２０と中間部材２３とに挟まれ、締付ナット２３の螺合によって立面２上に被覆される。
【００３１】
止水フィルム１６ｂ、１６ｃは、その下端にてそれぞれ締付部材１５ａ、１５ｂに狭持され、上方に向かって延びて立面２上に被覆される。それ以外は基本的に止水フィルム１６ａと同様なので、説明は繰り返さない。なお、止水フィルム１６ａ、１６ｂ、１６ｃを被覆した後、締付部材１５ａ、１５ｂと止水フィルム１６ａ、１６ｂ、１６ｃとの接続箇所を覆うようにシーリング剤を付与することが防水性を向上させる点で好ましい。
【００３２】
この後、矩形状のコンクリート打設部（穴）の底面に耐圧盤となる底盤３０を打設し、そのうえに立面２から一定間隔離れた位置に型枠３１を立設する。底盤３０の上面には、一方の開口部が止水フィルム１６ａよりも地中連続壁１側に設けられ、他方の開口部が型枠３１の立面との対向面の反対側に設けられた水抜きパイプ３５をさらに配置することが好ましい。これによって、立面２と型枠３１との間にコンクリートが打設された後においても、立面２から染み出した水を水抜きパイプ３５から優先的に排出することができる。
【００３３】
以上説明したように、上記防水方法は、型枠を高く立設することができる施工効率に優れた工法であり、接着剤を使用することなく軽量かつ小型の締付部材によって止水フィルムを地中連続壁の立面全体にわたって被覆することができるため、立面からの水の染み出しを簡単かつ迅速に防ぐことができ、作業性に優れる。
【符号の説明】
【００３４】
Ｇ  地面
１  地中連続壁
２  立面
３  芯材
１０  防水構造
１５、１５ａ、１５ｂ  締付部材
１６ａ、１６ｂ、１６ｃ  止水フィルム
２０  平板
２１  雄ネジ
２２  中間部材
２３  締付ナット
２５  孔
２６  ネジ穴
３０  底盤
３１  型枠
３２ａ、３２ｂ  セパレータ
３５  水抜きパイプ
４０  粘着性材料層
４１  疎水性材料層
４２  隙間
１００  地中連続壁
１０１  芯材
１０２  コンクリート打設部（穴）
１０５ａ、１０５ｂ  支持材
１０６、１０６ａ、１０６ｂ、１０６ｃ  防水シート
１１０  底盤
１１１  型枠
１１２ａ、１１２ｂ  セパレータ
１１５ａ、１１５ｂ  支持部材
１２０  立面
１３０  接着剤
【図１】
0003158029.tif 000003
【図２】
0003158029.tif 000004
【図３】
0003158029.tif 000005
【図４】
0003158029.tif 000006
【図５】
0003158029.tif 000007
【図６】
0003158029.tif 000008
【図７】
0003158029.tif 000009